【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
複数の画素が２次元の行列に配列されて行単位の所定の順序で信号が読み出されるように構成された撮像素子に含まれる欠陥画素を補正するための補正情報を作成する補正情報作成装置であって、
各行の最後に読み出される画素をダミーの欠陥画素として扱い、当該ダミーの欠陥画素を含む各欠陥画素について位置を示す情報とダミーの欠陥画素であるか否かを示す情報とを関連付けて前記補正情報として記憶部に記憶させる記憶制御部を備え、
前記位置を示す情報は、前記所定の順序に従って前記撮像素子の読み出しが行われる場合に当該位置の欠陥画素の直前に読み出される欠陥画素から当該位置の欠陥画素までの間に読み出される画素数を示すことを特徴とする補正情報作成装置。
【請求項２】
請求項１に記載の補正情報作成装置と、
複数の画素が２次元の行列に配列されて行単位の所定の順序で信号が読み出されるように構成された撮像素子と、
前記補正情報作成装置が作成した補正情報に基づいて、前記撮像素子に含まれる欠陥画素から読み出された信号を補正する補正部と
を備え、
前記補正部は、前記補正情報に含まれる前記位置を示す情報としての画素数に基づいて前記撮像素子に含まれる欠陥画素の位置を特定し、前記補正情報に含まれる前記ダミーの欠陥画素であるか否かを示す情報に基づいてダミーの欠陥画素を特定し、ダミーの欠陥画素から読み出された信号については補正を行わないことを特徴とする撮像装置。
【請求項３】
請求項２に記載の撮像装置と、
被写体の光学像を前記撮像装置の撮像素子に結像させる光学系と、
を備えることを特徴とする撮像システム。
【請求項４】
複数の画素が２次元の行列に配列されて行単位の所定の順序で信号が読み出されるように構成された撮像素子に含まれる欠陥画素を補正するための補正情報を記憶した記憶部と、
前記記憶部に記憶された補正情報に基づいて、前記撮像素子に含まれる欠陥画素から読み出された信号を補正する補正部と、
を備え、
前記補正情報は、各行の最後に読み出される画素をダミーの欠陥画素として扱い、当該ダミーの欠陥画素を含む各欠陥画素について位置を示す情報とダミーの欠陥画素であるか否かを示す情報とを関連付ける情報であり、
前記補正部は、前記補正情報に含まれる前記位置を示す情報としての画素数に基づいて前記撮像素子に含まれる欠陥画素の位置を特定し、前記補正情報に含まれる前記ダミーの欠陥画素であるか否かを示す情報に基づいてダミーの欠陥画素を特定し、ダミーの欠陥画素から読み出された信号については補正を行わないことを特徴とする撮像装置。
【請求項５】
複数の画素が２次元の行列に配列されて行単位の所定の順序で信号が読み出されるように構成された撮像素子に含まれる欠陥画素を補正するための補正情報を作成する補正情報作成装置が実行する補正情報作成方法であって、
各行の最後に読み出される画素をダミーの欠陥画素として扱い、当該ダミーの欠陥画素を含む各欠陥画素について位置を示す情報とダミーの欠陥画素であるか否かを示す情報とを関連付けて前記補正情報として記憶部に記憶させる記憶制御工程を備え、
前記位置を示す情報は、前記所定の順序に従って前記撮像素子の読み出しが行われる場合に当該位置の欠陥画素の直前に読み出される欠陥画素から当該位置の欠陥画素までの間に読み出される画素数を示すことを特徴とする補正情報作成方法。
【手続補正２】
【補正対象書類名】明細書
【補正対象項目名】０００８
【補正方法】変更
【補正の内容】
【０００８】
本発明の第１の側面は、補正情報作成装置に係り、複数の画素が２次元の行列に配列されて行単位の所定の順序で信号が読み出されるように構成された撮像素子に含まれる欠陥画素を補正するための補正情報を作成する補正情報作成装置であって、各行の最後に読み出される画素をダミーの欠陥画素として扱い、当該ダミーの欠陥画素を含む各欠陥画素について位置を示す情報とダミーの欠陥画素であるか否かを示す情報とを関連付けて前記補正情報として記憶部に記憶させる記憶制御部を備え、前記位置を示す情報は、前記所定の順序に従って前記撮像素子の読み出しが行われる場合に当該位置の欠陥画素の直前に読み出される欠陥画素から当該位置の欠陥画素までの間に読み出される画素数を示すことを特徴とする。
【手続補正３】
【補正対象書類名】明細書
【補正対象項目名】０００９
【補正方法】変更
【補正の内容】
【０００９】
本発明の第２の側面は、撮像装置に係り、上記の補正情報作成装置と、複数の画素が２次元の行列に配列されて行単位の所定の順序で信号が読み出されるように構成された撮像素子と、前記補正情報作成装置が作成した補正情報に基づいて、前記撮像素子に含まれる欠陥画素から読み出された信号を補正する補正部とを備え、前記補正部は、前記補正情報に含まれる前記位置を示す情報としての画素数に基づいて前記撮像素子に含まれる欠陥画素の位置を特定し、前記補正情報に含まれる前記ダミーの欠陥画素であるか否かを示す情報に基づいてダミーの欠陥画素を特定し、ダミーの欠陥画素から読み出された信号については補正を行わないことを特徴とする。
【手続補正４】
【補正対象書類名】明細書
【補正対象項目名】００１０
【補正方法】変更
【補正の内容】
【００１０】
本発明の第３の側面は、撮像システムに係り、上記の撮像装置と、被写体の光学像を前記撮像装置の撮像素子に結像させる光学系と、を備えることを特徴とする。
【手続補正５】
【補正対象書類名】明細書
【補正対象項目名】００１１
【補正方法】変更
【補正の内容】
【００１１】
本発明の第４の側面は、撮像装置に係り、複数の画素が２次元の行列に配列されて行単位の所定の順序で信号が読み出されるように構成された撮像素子に含まれる欠陥画素を補正するための補正情報を記憶した記憶部と、前記記憶部に記憶された補正情報に基づいて、前記撮像素子に含まれる欠陥画素から読み出された信号を補正する補正部と、を備え、前記補正情報は、各行の最後に読み出される画素をダミーの欠陥画素として扱い、当該ダミーの欠陥画素を含む各欠陥画素について位置を示す情報とダミーの欠陥画素であるか否かを示す情報とを関連付ける情報であり、前記補正部は、前記補正情報に含まれる前記位置を示す情報としての画素数に基づいて前記撮像素子に含まれる欠陥画素の位置を特定し、前記補正情報に含まれる前記ダミーの欠陥画素であるか否かを示す情報に基づいてダミーの欠陥画素を特定し、ダミーの欠陥画素から読み出された信号については補正を行わないことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の第６の側面は、補正情報作成方法に係り、複数の画素が２次元の行列に配列されて行単位の所定の順序で信号が読み出されるように構成された撮像素子に含まれる欠陥画素を補正するための補正情報を作成する補正情報作成装置が実行する補正情報作成方法であって、各行の最後に読み出される画素をダミーの欠陥画素として扱い、当該ダミーの欠陥画素を含む各欠陥画素について位置を示す情報とダミーの欠陥画素であるか否かを示す情報とを関連付けて前記補正情報として記憶部に記憶させる記憶制御工程を備え、前記位置を示す情報は、前記所定の順序に従って前記撮像素子の読み出しが行われる場合に当該位置の欠陥画素の直前に読み出される欠陥画素から当該位置の欠陥画素までの間に読み出される画素数を示すことを特徴とする。